(57)【特許請求の範囲】
【請求項１】
浴室の床面に表面材を支持する部材が配置され、該部材の上に複数枚の表面材が被着されると共に、各表面材の少なくとも一端に端仕舞部材が取着された二重床であって、上記の端仕舞部材は、表面材の巾と略同一巾の上板とその裏側の挟持片との間に溝部が形成され、該溝部に表面材の一端が差込まれて取着されており、かつ、上板の表面材と重ならない部分に、指先の入る凹欠部又は孔部が形成されていることを特徴とする浴室の二重床構造。
【請求項２】
浴室の二重床の表面材の少なくとも一端に取着される端仕舞部材であって、表面材の巾と略同一巾の上板とその裏側の挟持片との間に、表面材の一端が差込まれる溝部が形成されており、上板の表面材と重ならない部分に、指先の入る凹欠部又は孔部が形成されていることを特徴とする端仕舞部材。
【発明の詳細な説明】
【０００１】
【発明の属する技術分野】
本発明は、端仕舞が綺麗で施工仕上りが良い浴室の二重床と、その端仕舞部材に関する。
【０００２】
【従来の技術】
従来の組立式の浴室は、水漏れを防止するために、その床を合成樹脂製の防水パンで形成している。このような浴室は、防水パンの周囲が立上がっている分だけ、浴室の床面よりも出入口の方が高くなるため、出入口の部分でかなりの段差が存在する。しかし、浴室の出入口に段差があると出入りしにくく、老人等が段差に躓いて転倒する危険性があった。
【０００３】
そこで、出入口の段差をなくすため、浴室の床面に表面材を支持する部材を配置し、該部材の上に複数枚の表面材を被着して二重床としたものが既に開発された。けれども、これまでの二重床は以下に述べるような問題があった。
【０００４】
【発明が解決しようとする課題】
即ち、二重床の表面材が浴室の床寸法に比べて長すぎるような場合には、表面材を浴室の床寸法に合わせて切断しなければならないが、このように表面材を切断すると、切断端が見苦しくなって二重床の施工仕上がりが悪くなるという問題があった。
【０００５】
また、これまでの二重床は、大掃除等をする場合に、表面材をその支持部材と共に持上げて浴室から取出そうとしても、表面材と表面材の間や、表面材と浴室壁面との間に、指先を挿入できる隙間がないため、最初に表面材を手で持上げるのが容易でないという問題があった。
【０００６】
本発明はこれらの問題に鑑みてなされたものであって、その目的とするところは、切断した表面材の端仕舞が綺麗で施工仕上りが良く、大掃除等をする場合には簡単に表面材をその支持部材と共に持上げて浴室から取出すことができる浴室の二重床と、この二重床に用いる端仕舞部材を提供することにある。
【０００７】
【課題を解決するための手段】
前記の目的を達成するため、本発明の請求項１に係る浴室の二重床は、浴室の床面に表面材を支持する部材が配置され、該部材の上に複数枚の表面材が被着されると共に、各表面材の少なくとも一端に端仕舞部材が取着された二重床であって、上記の端仕舞部材は、表面材の巾と略同一巾の上板とその裏側の挟持片との間に溝部が形成され、該溝部に表面材の一端が差込まれて取着されており、かつ、上板の表面材と重ならない部分に、指先の入る凹欠部又は孔部が形成されていることを特徴とするものである。
【０００８】
このような構成の浴室の二重床は、寸法調整のために表面材の一端が切断されていても、その一端に取着された端仕舞部材の上板によって外部から見えないように被覆されるため、端仕舞が綺麗で施工仕上がりが良く、しかも、端仕舞部材の溝部に表面材の一端を差込むだけで端仕舞部材を簡単に取着できるため、施工性が良好である。そして、大掃除等を行う場合は、端仕舞部材の凹欠部又は孔部に指先を入れて、表面材をその支持部材と共に持ち上げ、浴室から簡単に取出すことができる。
【０００９】
次に、本発明の請求項２に係る端仕舞部材は、浴室の二重床の表面材の少なくとも一端に取着される端仕舞部材であって、表面材の巾と略同一巾の上板とその裏側の挟持片との間に、表面材の一端が差込まれる溝部が形成されており、上板の表面材と重ならない部分に、指先の入る凹欠部又は孔部が形成されていることを特徴とするものである。
【００１０】
このような構成の端仕舞部材は、上述したように、溝部に表面材の一端を差込むだけで簡単に取着でき、切断された表面材の一端を上板で見えないように被覆して綺麗に端仕舞することができる。そして大掃除等をする場合には、凹欠部又は孔部に指先を入れて表面材を持ち上げ、浴室から簡単に取出すことができる。また、端仕舞部材の溝部に対する表面材一端の差込み深さを増減すれば、表面材の全長を微調整することもできる。尚、上板の表面材と重なる部分に凹欠部又は孔部が形成される場合は、表面材が邪魔になって指先が入らないので持ち上げることはできない。
【００１１】
【発明の実施の形態】
以下、図面を参照して本発明の具体的な実施形態を詳述する。
【００１２】
図１は本発明の一実施形態に係る浴室の二重床を示す平面図、図２は同二重床の側面図、図３は同二重床の分解斜視図、図４、図５、図６はそれぞれ同二重床に用いる支持基材の斜視図、平面図、正面図、図７は筒状スペーサと高さ調節用の脚を外した支持基材の底面図、図８の（ａ），（ｂ），（ｃ）はそれぞれ図５のＡ−Ａ線切断端面図、Ｂ−Ｂ線切断端面図、Ｃ−Ｃ線切断端面図、図９は図５のＤ−Ｄ線拡大断面図、図１０は同支持基材の高さ調節用の脚と筒状スペーサの斜視図、図１１の（ａ）は同二重床に用いる表面材と支持材を分離した状態の断面図、（ｂ）は同表面材を同支持材に被着した状態の断面図、図１２は同二重床における支持基材の受部と支持材の端部との係着状態を示す部分断面図、図１３は同二重床における支持基材相互の接続状態を示す部分斜視図である。
【００１３】
また、図１４は本発明の一実施形態に係る端仕舞部材を示すもので、（ａ）、（ｂ）、（ｃ）、（ｄ）、（ｅ）はそれぞれ同端仕舞部材の平面図、正面図、背面図、底面図、右側面図、（ｆ）、（ｇ）、（ｈ）はそれぞれ（ａ）のＤ−Ｄ線断面図、Ｅ−Ｅ線断面図、Ｆ−Ｆ線断面図、図１５は同端仕舞部材を斜め下方から見た斜視図、図１６は同端仕舞部材を表面材の一端に取着したところを斜め下方から見た斜視図、図１７は図１６のＧ−Ｇ線断面図、図１８は図１７のＨ−Ｈ線断面図である。
【００１４】
この実施形態に係る浴室の二重床は、表面材３と、該表面材３を支持する部材である支持基材１及び支持材２と、該表面材３の少なくとも一端に取着された端仕舞部材１１とによって構成されている。
【００１５】
図２〜図３に示すように、支持基材１は、浴室床面４の浴槽２０に沿った部分と、反対側の浴室側壁に沿った部分と、中間の部分にそれぞれ配置され、これらの支持基材１，１，１の相互間に、長い支持材２と、寸法調整のため切断された短い支持材２とが３本ずつ、合計６本掛け渡されて、一つの支持部材のブロックが組立てられている。そして、この支持部材のブロックが浴室床面４に三つ配置され、各ブロックの上に表面材３が三枚ずつ、合計九枚被着されて二重床が形成されている。これらの表面材３はいずれも、浴室の床寸法に合わせて長さ方向の一端（浴槽２０と反対側の浴室側壁の方の端部）が切断され、この切断された一端に端仕舞部材１１が取着されている。そして、各ブロックの支持基材１の高さを高さ調節用の脚５で調節することにより、表面材３が浴室ＢＲの出入口６の下端と略同じ高さとなるように設定されている。
【００１６】
支持基材１はポリプロピレン等の合成樹脂を射出成形したもので、図４〜図８に示すように、支持基材１の下端には支持材２の端部を係着するための受部１ａ，１ａが両側へ突き出して形成されている。この受部１ａは三角形の隔壁１ｂ，１ｂで三つに区切られ、各区切り部分ごとに止具挿通孔１ｃが形成されている。また、この受部１ａの両端には、上記隔壁１ｂの略半分の厚みを有する三角壁１ｄ，１ｄと端板１ｅ，１ｅが一体に形成されており、更に、この受部１ａの裏面には補強リブ１ｋが形成されている。
【００１７】
この受部１ａから支持基材１の上面までの高さ寸法は、支持材２の高さ寸法と同一に設定され、また、隔壁１ｂ相互間の寸法、及び、隔壁１ｂと三角壁１ｄの間の寸法は、いずれも支持材２の巾寸法と同一に設定されている。従って、この受部１ａの三つの区切り部分には３本の支持材２の端部がガタツキなく係着され、係着された状態では、図３，図１２に示すように支持材２の上面と支持基材１の上面が同じ高さになっている。そして、図１２に示すように、支持材２の端部にはビス７が止具挿通孔１ｃからねじ込まれ、受部１ａから外れ落ちないように固定されている。このように左右の支持基材１，１間に３本の支持材２を並列させて架け渡すと、支持材２の相互間には隔壁１ｂの厚み分の隙間が形成されることになる。
【００１８】
隣接するブロックの支持基材１，１は、図１３に示すように支持基材１，１の端板１ｅ，１ｅ同士を当接させると共に、三角形の挟着片１０ａ，１０ａを有する接続具１０で双方の端板１ｅ，１ｅを挟むことによって接続されている。このように接続されると、支持基材１，１の端部の三角壁１ｄ，１ｄ同士が重なって隔壁１ｂと同じ厚みとなるため、この三角壁１ｄ，１ｄを挟んで隣接する支持材２，２の間にも、隔壁１ｂの厚みに相当する隙間が形成されることになり、結局、全ての支持材２が隔壁１ｂの厚み分の相互間隙をあけて並列した状態となる。なお、接続具１０を使用しないで、前後の支持基材１，１の端板１ｅ，１ｅ同士を当接させるだけでもよい。
【００１９】
図４，図９に示すように、支持基材１の両端部には縦方向の貫通孔１ｆ，１ｆが形成されている。そして、この貫通孔１ｆの下端部には筒状スペーサ８が取付けられ、該筒状スペーサ８に高さ調節用の脚５が螺入されている。
【００２０】
この筒状スペーサ８、高さ調節用の脚５はいずれも、ポリプロピレン等の合成樹脂を射出成形したもので、図９及び図１０に示すように、筒状スペーサ８の内周面には雌ネジ８ａが切られ、上部外周面には雄ネジ８ｂが切られている。そして、この雄ネジ８ｂ部分を上記貫通孔１ｆの下端部の雌ネジ部分にねじ込むことによって筒状スペーサ８が取付けられている。また、この筒状スペーサ８の下部内周面は拡径され、そこに雌ネジ８ｃが形成されている。従って、この雌ネジ８ｃ部分に下方からもう一つの筒状スペーサ８の雄ネジ８ｂ部分をねじ込むと、筒状スペーサ８を上下に接続できるようになっている。
【００２１】
高さ調節用の脚５は、その外周面に雄ネジ５ａが切られ、上記の筒状スペーサ８に下方から螺入されている。そして、この脚５の上端面には、六角レンチ等の回転具を挿入する挿入穴５ｂ（レンチ穴）が形成されている。従って、六角レンチ等の回転具を支持基材１の上方から貫通孔１ｆに通して上記の挿入穴５ｂへ挿入し、該回転具で高さ調節用の脚５を回転させると、筒状スペーサ８に対する脚５の螺入寸法が変化して、支持基材１の高さを簡単に調節できるようになっている。尚、図９において、９は脚５の下端に嵌着されたゴム座である。
【００２２】
上記のように高さ調節用の脚５を回転させ、筒状スペーサ８に対する脚５の螺入寸法を最小限にして支持基材１を最高の高さに調節しても、なお支持基材１の高さが不足するために表面材３を浴室ＢＲの出入口６の下端と同じ高さにそろえることができない場合は、前述したように筒状スペーサ８を上下に適当個数接続して必要な高さをかせぐようにすればよい。
【００２３】
前記の支持材２及び表面材３はいずれも、ポリ塩化ビニルなどの合成樹脂を押出成形したもので、図１１に示すように、支持材２は中空構造とされ、その上面に凹溝２ａが形成されている。そして、この凹溝２ａの両側面には全長に亘って小さな凸リブ２ｂ，２ｂが形成されている。また、前記支持基材１の上面にも、上記凹溝２ａに合致した形状の凹部１ｇが３箇所形成されており、同様に小さな凸リブ１ｈ，１ｈが各凹部１ｇの両側面に形成されている。従って、支持基材１，１間に支持材２を架け渡すと、支持材２の凹溝２ａと支持基材１の凹部１ｇが連続し、凸リブ２ｂと凸リブ１ｈも連続するようになっている。
【００２４】
表面材３は支持材２より若干巾広の帯板状に形成され、図１１に示すように、その両側縁が下方に折曲されている。そして、この表面材３の裏面には、互いに平行な一対の嵌込み板３ａ，３ａが全長に亘って突設されており、これら嵌込み板３ａ，３ａの下端には外側へ突き出す係合爪部３ｂ，３ｂが形成されている。
【００２５】
この表面材３は、図１１（ｂ）に示すように裏面の嵌込み板３ａ，３ａを支持材２の凹溝２ａと支持基材１の凹部１ｇに嵌め込んで、係合爪部３ｂ，３ｂを凹溝２ａの凸リブ２ｂ，２ｂと凹部１ｇの凸リブ１ｈ，１ｈに下方から係合させることにより、浮き上がって外れることのないように支持材２と支持基材１に被着されている。このように表面材３を被着すると、表面材３の相互間に一定の小さな隙間が形成され、この隙間と支持材２相互間の隙間を通じて排水が良好に行われるため、表面材３の上に水が溜まることがなくなる。また、表面材３相互の隙間は足裏に適度な引掛かりを与えるので、滑り止めの効果も発揮される。滑り止め効果を高めるためには、表面材３の表面に小さな凹凸を形成することが望ましく、更に抗菌処理コーティングを施せば、衛生面に優れた二重床を施工することができる。尚、表面材３の下方へ折曲された両側縁が支持基材１の上面に当るのを防止するため、支持基材１の上面には、表面材３の両側縁を落とし込む凹部１ｉが形成されている。
【００２６】
既述したように、この表面材３の一端（浴槽２０と反対側の浴室側壁の方の端部）は、浴室の床寸法に合わせて切断され、そこに本発明の端仕舞部材１１が取着されている。
【００２７】
この端仕舞部材１１は、ポリプロピレンやポリ塩化ビニル等を射出成形したもので、図１４〜図１８に示すように、表面材３の巾と略同一巾の上板１１ａと、その裏側に三分割して形成された挟持片１１ｂ，１１ｃ，１１ｂを有しており、これらの挟持片１１ｂ，１１ｃ，１１ｂと上板１１ａの間は、表面材３の一端を差込む溝部１１ｄに形成されている。そして、この溝部１１ｄに表面材３の一端を差込み、必要に応じて接着剤等で接着することによって、表面材３の一端に端仕舞部材１１が取着されている。挟持片１１ｂ，１１ｃ，１１ｂを三分割して形成したのは、表面材３の一端を溝部１１ｄに差込むときに、表面材裏面の嵌込み板３ａ，３ａの一端が挟持片に当たることなく、挟持片相互間の間隙部１１ｅ、１１ｅに差込まれるようにするためである。尚、１１ｆ，１１ｆは上板１１ａの両側端の裏側に形成されたヌスミ段部であって、表面材３の一端を溝部１１ｄに差込むときに表面材３の下方へ折曲された両側縁が当たらないようにするためのものである。
【００２８】
上記の挟持片のうち、中央の挟持片１１ｃは両側の挟持片１１ｂ，１１ｂより突出長さが大きく、その先端が上板１１ａの端まで達しており、主として、この中央の挟持片１１ｃと上板１１ａによって表面材３の一端が挟持されるようになっている。従って、表面材３の一端を、この中央の挟持片１１ｃと上板１１ａとの間の溝部１１ｄのみに浅く差込み、両側の挟持片１１ｂ，１１ｂと上板１１ａとの間の溝部１１ｄに差込まないようにしても、端仕舞部材１１を取着することが可能であり、このように表面材３の差込み深さを変化させて端仕舞部材１１を取着した表面材３の全長を微調整すれば、浴室側壁との間の隙間を確実になくすことができる。
【００２９】
更に、この端仕舞部材１１の上板１１ａの端部には、指先の入る凹欠部１１ｇが形成されている。この凹欠部１１ｇは、大掃除等をする場合に、指先を入れて端仕舞部材１１と表面材３を支持部材と共に持ち上げるための「取手」となるものであって、この実施形態の端仕舞部材１１では、表面材３と反対側の上板端部に形成されているが、上板１１ａの表面材３と重ならない部分であれば、どこに形成してもよいものである。表面材３と重なる部分に凹欠部１１ｇを形成する場合は、凹欠部１１ｇが表面材３で閉塞されて指先を入れることができないので、取手としての役目が失われる。また、凹欠部１１ｇに代えて、指先が入る孔を形成してもよく、このような孔も凹欠部１１ｇと同様に「取手」としての役目を果たすことができる。
【００３０】
このような端仕舞部材１１を表面材３の切断された一端に取着すると、表面材３の見苦しい切断端が端仕舞部材１１の上板１１ａによって外部から見えないように被覆されるため、端仕舞が綺麗になり、二重床の施工仕上がりが良くなる。しかも、端仕舞部材１１の取付けは、その溝部１１ｄに表面材３の一端を差込むだけで簡単に行うことができるため、施工性がきわめて良好であり、その際、表面材３の差込み深さを増減して端仕舞部材１１を取着した表面材３の全長を微調整すれば、浴室側壁との隙間を確実になくすことができる。また、大掃除等を行う場合は、端仕舞部材１１の凹欠部１１ｇに指先を入れて、図２に仮想線で示すように端仕舞部材１１と表面材３を支持基材１及び支持材２と一緒に持ち上げ、浴室から簡単に取出すことができるので便利である。
【００３１】
【発明の効果】
以上の説明から明らかなように、本発明の浴室の二重床は、表面材の見苦しい切断端部が見えないように本発明の端仕舞部材によって綺麗に端仕舞されるため施工仕上がりが良く、しかも、端仕舞部材の取着が簡単であるため施工性に優れており、また、端仕舞部材で表面材の全長を微調整して浴室側壁との隙間を確実になくすこともでき、更に、大掃除等の際には端仕舞部材の凹欠部又は孔に指先を入れて表面材を支持部材と共に持ち上げて浴室から簡単に取出すこともできるといった顕著な効果を奏する。
【図面の簡単な説明】
【図１】本発明の一実施形態に係る浴室の二重床を示す平面図である。
【図２】同二重床の側面図である。
【図３】同二重床の分解斜視図である。
【図４】同二重床に用いる支持基材の斜視図である。
【図５】同二重床に用いる支持基材の平面図である。
【図６】同二重床に用いる支持基材の正面図である。
【図７】同二重床に用いる支持基材（筒状スペーサと高さ調節用の脚を外したもの）の底面図である。
【図８】（ａ）は図５のＡ−Ａ線切断端面図、（ｂ）は図５のＢ−Ｂ線切断端面図、（ｃ）は図５のＣ−Ｃ線切断端面図である。
【図９】図５のＤ−Ｄ線拡大断面図である。
【図１０】同二重床に用いる支持基材の高さ調節用の脚と筒状スペーサの斜視図である。
【図１１】（ａ）は同二重床に用いる表面材と支持材を分離した状態の断面図、（ｂ）は同表面材を同支持材に被着した状態の断面図である。
【図１２】同二重床における支持基材の受部と支持材の端部との係着状態を示す部分断面図である。
【図１３】同二重床における支持基材相互の接続状態を示す部分斜視図である。
【図１４】本発明の一実施形態に係る端仕舞部材を示すもので、（ａ）、（ｂ）、（ｃ）、（ｄ）、（ｅ）はそれぞれ同端仕舞部材の平面図、正面図、背面図、底面図、右側面図であり、（ｆ）、（ｇ）、（ｈ）はそれぞれ（ａ）のＤ−Ｄ線断面図、Ｅ−Ｅ線断面図、Ｆ−Ｆ線断面図である。
【図１５】同端仕舞部材を斜め下方から見た斜視図である。
【図１６】同端仕舞部材を表面材の一端に取着したところを斜め下方から見た斜視図である。
【図１７】図１６のＧ−Ｇ線断面図である。
【図１８】図１７のＨ−Ｈ線断面図である。
【符号の説明】
ＢＲ  浴室
１  支持基材
２  支持材
３  表面材
３ａ  嵌込み板
３ｂ  係合爪部
４  浴室の床面
５  高さ調節用の脚
１１  端仕舞部材
１１ａ  上板
１１ｂ，１１ｃ  挟持片
１１ｄ  溝部
１１ｇ  凹欠部
【図１】
0003763011.tif 000002
【図２】
0003763011.tif 000003
【図３】
0003763011.tif 000004
【図４】
0003763011.tif 000005
【図５】
0003763011.tif 000006
【図６】
0003763011.tif 000007
【図７】
0003763011.tif 000008
【図８】
0003763011.tif 000009
【図９】
0003763011.tif 000010
【図１０】
0003763011.tif 000011
【図１１】
0003763011.tif 000012
【図１２】
0003763011.tif 000013
【図１３】
0003763011.tif 000014
【図１４】
0003763011.tif 000015
【図１５】
0003763011.tif 000016
【図１６】
0003763011.tif 000017
【図１７】
0003763011.tif 000018
【図１８】
0003763011.tif 000019